(57)【要約】【課題】スロット挿入時に挫屈が発生しない矩形スロット用絶縁紙の成形方法を提供する。【解決手段】長方形の絶縁紙１４の一対の対向する辺を所定の幅で同じ側に折り返して折り返し部１６とし、この折り返し部１６が形成された辺に直交する方向に、かつ折り返し部１６が外側になるように絶縁紙１４を折り曲げてＵ字状に成形し、この絶縁紙１４を、内型２２、外型２４によりＵ字形状の底部近傍の両側面が外側に膨らむようにさらに成形して矩形スロット用絶縁紙を成形する。【選択図】　　　　図４
2004023836.tif 000002
【特許請求の範囲】
【請求項１】
長方形の絶縁紙の一対の対向する辺を所定の幅で同じ側に折り返し、
前記折り返した辺に直交する方向に、かつ前記折り返した部分が外側になるように前記絶縁紙を折り曲げてＵ字状に成形し、
前記Ｕ字形状の底部近傍の両側面が外側に膨らむようにさらに成形することを特徴とする回転電機の矩形スロット用絶縁紙の成形方法。
【発明の詳細な説明】
【０００１】
【発明の属する技術分野】
本発明は、回転電機の矩形スロット用絶縁紙の成形方法の改良に関する。
【０００２】
【従来の技術】
セグメント式巻線モータ等の回転電機においては、平角線をスロットへ整列挿入するため、スロットの断面が矩形形状に成形されている。図７には、このような断面が矩形形状をしたスロットを有する鉄心の部分断面図が示される。図７において、鉄心１０に形成されたスロット１２は、その断面が矩形形状をしており、ここに挿入されるスロット用の絶縁紙１４も、スロット形状にぴったりあう矩形形状とされている。
【０００３】
このようなスロット用の絶縁紙１４には、スロット１２からの脱落を防止するために、軸方向両端部に折り返しを設ける場合が多い。図１、図２には、このような折り返しが設けられた絶縁紙１４の例が示される。図１において、絶縁紙１４は長方形の形状となっており、一対の対向する辺が所定の幅で紙面の同じ側に折り返されて折り返し部１６が形成されている。このような折り返し部１６が形成された絶縁紙１４は、図２に示されるように、折り返し部１６が形成された辺に直交する方向に、かつ折り返し部１６が外側になるように絶縁紙１４を折り曲げてＵ字状に成形される。
【０００４】
図８には、上記絶縁紙１４をＵ字状に成形するための型の断面図が示される。図８において、折り返し部１６が形成された絶縁紙１４は、内型１８と外型２０によりＵ字状に成形される。この内型１８と外型２０等は、スロット１２と同形状とされている。また、絶縁紙１４をＵ字状に成形する際には、折り返し部１６が外側を向くように配置される。これにより、図９に示されるように、絶縁紙１４は折り返し部１６が外側に向くように折り曲げられる。このように成形された絶縁紙は図７に示された矩形形状のスロット１２に挿入される。このような矩形スロット用絶縁紙の成形方法の例が、例えば特開平１１−９８７８２号公報に開示されている。
【０００５】
【発明が解決しようとする課題】
しかし、上記従来の矩形スロット用絶縁紙の成形方法においては、成形された絶縁紙１４をスロット１２に挿入する場合に、絶縁紙１４が内側に挫屈するという問題があった。すなわち、図１０の部分断面図に示されるように、鉄心１０に形成されたスロット１２に、折り返し部１６が鉄心１０の軸方向両端面に当接するように絶縁紙１４を挿入した場合、Ｕ字状の絶縁紙１４の外側に配置された折り返し部１６には引っ張り力が発生し、内側である絶縁紙１４には圧縮力が発生する。このため、スロット１２の内部でＵ字状の絶縁紙１４の底部付近に挫屈が発生してしまう。このように、絶縁紙に挫屈が発生した場合、導線コイルのスロットへの挿入性が著しく損なわれてしまう。これによって、モータ等の回転電機の品質、生産性の低下を招くという問題が生じる。このような問題は、矩形でかつＵ字の角部のＲ（曲率半径）が小さなスロット形状の場合に特に顕著となる。
【０００６】
本発明は、上記従来の課題に鑑みなされたものであり、その目的は、スロット挿入時に挫屈が発生しない矩形スロット用絶縁紙の成形方法を提供する事にある。
【０００７】
【課題を解決するための手段】
上記目的を達成するために、本発明は、矩形スロット用絶縁紙の成形方法であって、長方形の絶縁紙の一対の対向する辺を所定の幅で同じ側に折り返し、折り返した辺に直交する方向に、かつ折り返した部分が外側になるように絶縁紙を折り曲げてＵ字状に成形し、Ｕ字形状の底部近傍の両側面が外側に膨らむようにさらに成形することを特徴とする。
【０００８】
上記構成によれば、Ｕ字形状の底部近傍の両側面を外側に膨らませているので、スロットへの挿入時に挫屈の生じない矩形スロット用絶縁紙を提供する事ができる。
【０００９】
【発明の実施の形態】
以下、本発明の実施の形態（以下実施形態という）を、図面に従って説明する。
【００１０】
本発明においても、図１に示された折り返し部１６が形成された絶縁紙１４を図２に示されたＵ字形状に成形するために、図３に示された内型１８と外型２０とを使用する点は、前述した従来例と同様である。
【００１１】
図３に部分断面図として示された内型１８、外型２０による成形が、本発明にかかる矩形スロット用絶縁紙の成形方法の一次成形に相当する。このようにして一次成形された絶縁紙１４は、図４に部分断面図として示される、Ｕ字形状の底部近傍の両側面が外側に膨らんだ形状を有する内型２２と外型２４とによりＵ字形状の底部近傍の両側面を外側に膨らませるように二次成形される。
【００１２】
上記のような二次成形を行う事により、図５に示されるように、Ｕ字形状の底部近傍の両側面が外側に膨らんだ形状となり、この絶縁紙１４を、図６に示されるように、スロット１２に挿入する。
【００１３】
この場合には、前述したように、絶縁紙１４に形成された折り返し部１６は、鉄心１０の軸方向両側面に当接される。これにより、絶縁紙１４が鉄心１０に形成されたスロット１２から脱落する事を防止できる。
【００１４】
また、本発明にかかる絶縁紙１４は、上記のとおり、Ｕ字形状の底部近傍の両側面が外側に膨らむように二次成形されているので、スロット１２に挿入する際に、折り返し部１６に発生する引っ張り力、および折り返し部１６の内側となる絶縁紙１４に発生する圧縮力を抑制できる。このため、絶縁紙１４の挫屈による内側への膨らみを防止する事ができる。これにより、スロット１２への導線コイルの挿入性が向上し、回転電機の品質及び生産性を損なう事を防止できる。
【００１５】
【発明の効果】
以上説明したように、本発明によれば、外側に折り返し部が形成され、Ｕ字形状とされた絶縁紙を成形する場合、Ｕ字形状への一次成形の後、Ｕ字形状の底部近傍の両側面を外側に膨らませるように二次成形するので、スロットへの挿入時に絶縁紙が内側に挫屈することを防止できる。
【図面の簡単な説明】
【図１】折り返し部を有する絶縁紙の例を示す図である。
【図２】図１に示された絶縁紙をＵ字形状に折り曲げた例を示す図である。
【図３】本発明にかかる矩形スロット用絶縁紙の成形方法の一次成形の説明図である。
【図４】本発明にかかる矩形スロット用絶縁紙の成形方法の二次成形の説明図である。
【図５】二次成形された後の絶縁紙の様子を示す図である。
【図６】図５に示された絶縁紙をスロットに挿入した場合の説明図である。
【図７】従来におけるスロットに挿入された絶縁紙の説明図である。
【図８】従来における絶縁紙の成形方法の説明図である。
【図９】図８によって成形された絶縁紙を示す図である。
【図１０】図９に示された絶縁紙をスロットに挿入した様子を示す図である。
【符号の説明】
１０　鉄心、１２　スロット、１４　絶縁紙、１６　折り返し部、１８，２２
内型、２０，２４　外型。
【図１】
2004023836.tif 000003
【図２】
2004023836.tif 000004
【図３】
2004023836.tif 000005
【図４】
2004023836.tif 000006
【図５】
2004023836.tif 000007
【図６】
2004023836.tif 000008
【図７】
2004023836.tif 000009
【図８】
2004023836.tif 000010
【図９】
2004023836.tif 000011
【図１０】
2004023836.tif 000012